(57)【特許請求の範囲】
【請求項１】
液体を吐出して記録媒体に画像を記録するための記録部、前記記録部と対向する位置に記録媒体を搬送するためのモジュール搬送機構、前記記録部の吐出動作を回復させるための吐出回復部、及び、前記液体を収容するための液体収容部を支持する記録モジュールであって、前記液体収容部と一体不可分に形成された記録モジュールと、
記録媒体を収容するための記録媒体収容部と、
前記記録モジュールを着脱可能に支持する筐体と、
前記筐体に設けられ、記録媒体を前記記録媒体収容部から前記記録モジュールへ搬送する搬送機構と、
前記記録モジュールの少なくとも前記記録部、前記モジュール搬送機構及び前記吐出回復部のいずれかの動作履歴情報と、前記記録モジュールの少なくとも前記記録部、前記モジュール搬送機構及び前記吐出回復部のいずれかの使用限度に達するまでに前記記録部によって記録可能な記録媒体の枚数Ａであって前記記録モジュールの動作に伴い減少する枚数Ａの初期値Ａ０とを記憶する記憶部と、
前記記憶部に記憶された前記動作履歴情報及び前記初期値Ａ０に基づいて前記記録モジュールの少なくとも前記記録部、前記モジュール搬送機構及び前記吐出回復部のいずれかの使用限度に達したか否かを判断する判断処理と、前記判断処理において前記記録モジュールの少なくとも前記記録部、前記モジュール搬送機構及び前記吐出回復部のいずれかの使用限度に達したと判断された場合に前記記録モジュールの使用限度に達したことを報知する報知処理とを実行する制御部とを備え、
前記記録部からの液体吐出に関する所定の規格に基づく記録が前記記録部によって行われると仮定した場合に、前記液体収容部の液体が無くなるまでに前記記録部によって記録可能な記録媒体の枚数Ｂであって前記記録部からの液体の吐出に伴い減少する枚数Ｂの初期値をＢ０としたとき、Ａ０≦Ｂ０となるように構成されていることを特徴とする記録装置。
【請求項２】
前記筐体は、複数の前記記録モジュールを個別に着脱可能に支持し、
前記搬送機構は、前記複数の記録モジュールのそれぞれに記録媒体を搬送し、
前記記憶部は、前記複数の記録モジュールそれぞれのＢ／Ａに関する情報と、１の記録媒体に対する液体吐出量の閾値とをさらに記憶しており、
前記制御部は、所定の順番で前記複数の記録モジュールに記録媒体を搬送する場合において、前記液体吐出量が前記閾値を超える記録媒体を、前記複数の記録モジュールのうちＢ／Ａが最も小さい記録モジュールに搬送する順番がきたときに、当該記録モジュールとは別の記録モジュールに記録媒体が搬送されるように前記搬送機構を制御する高デューティスキップ処理をさらに実行可能であることを特徴とする請求項１に記載の記録装置。
【請求項３】
前記制御部は、所定の順番で前記複数の記録モジュールに記録媒体を搬送する場合において、前記液体吐出量が前記閾値以下となる記録媒体を、前記複数の記録モジュールのうちＢ／Ａが最も大きい記録モジュールに搬送する順番がきたときに、当該記録モジュールとは別の記録モジュールに記録媒体が搬送されるように前記搬送機構を制御する低デューティスキップ処理をさらに実行可能であることを特徴とする請求項２に記載の記録装置。
【請求項４】
前記筐体は、複数の前記記録モジュールを個別に着脱可能に支持し、
前記搬送機構は、前記複数の記録モジュールのそれぞれに記録媒体を搬送し、
前記記憶部は、前記複数の記録モジュールそれぞれのＢ／Ａに関する情報と、前記複数の記録モジュールのそれぞれに対して定められた１の記録媒体に対する液体吐出量の閾値であって、Ｂ／Ａが小さいほど小さくなるように設定された閾値とをさらに記憶しており、
前記制御部は、所定の順番で前記複数の記録モジュールに記録媒体を搬送する場合において、前記複数の記録モジュールのそれぞれについて、当該記録モジュールに搬送されるべき記録媒体の前記液体吐出量が、当該記録モジュールに対して定められた前記閾値を超えるか否かを判断し、前記液体吐出量が前記閾値を超えると判断されたときに、当該記録モジュールとは別の記録モジュールに記録媒体が搬送されるように前記搬送機構を制御する個別高デューティスキップ処理をさらに実行可能であることを特徴とする請求項１に記載の記録装置。
【請求項５】
前記複数の記録モジュールは、それぞれ、互いに異なる色の液体を吐出するための複数の吐出口を有する複数の前記記録部、及び、前記複数の記録部のそれぞれに供給される液体を収容した複数の前記液体収容部を支持しており、
前記記憶部は、前記複数の記録モジュールのそれぞれに対して前記複数の色毎に定められた前記閾値を記憶し、
前記制御部は、前記個別高デューティスキップ処理において、前記複数の色毎に定められた前記閾値のうち最も小さい閾値を基準として判断を行うことを特徴とする請求項４に記載の記録装置。
【請求項６】
前記複数の記録モジュールは、それぞれ、複数の前記記録部、及び、前記複数の記録部のそれぞれに供給される液体を収容した複数の前記液体収容部を支持しており、
前記複数の記録部は、黒色の液体を吐出するための複数の吐出口を有する黒色記録部と、黒色以外の色の液体を吐出するための複数の吐出口を有する記録部とを含み、
前記記憶部は、前記複数の記録モジュールそれぞれにおける前記複数の記録部のうち少なくとも前記黒色記録部のＢ／Ａに関する情報を記憶し、
前記制御部は、所定の順番で前記複数の記録モジュールに記録媒体を搬送する場合において、前記黒色記録部のＢ／Ａを基準として判断を行うことを特徴とする請求項２〜４のいずれか１項に記載の記録装置。
【請求項７】
前記報知処理は、当該記録モジュールに対する記録媒体の搬送を禁止することを含むことを特徴とする請求項１〜６のいずれか１項に記載の記録装置。
【発明の詳細な説明】
【技術分野】
【０００１】
本発明は、記録装置に関し、特に記録モジュールが筐体に対して着脱可能に支持された記録装置に関する。
【背景技術】
【０００２】
特許文献１には、複数の印刷ユニット（記録モジュール）を着脱可能に支持するプリンタ装置（記録装置）が開示されている（段落００８１参照）。各印刷ユニットには、インクジェットヘッド及びヘッドを主走査方向に走査させるヘッド駆動機構（記録部）が支持されている（段落００５８参照）。特許文献１の装置では、印刷ユニットの台数を増減することにより、装置全体としての印刷能力を調整することができる。
【先行技術文献】
【特許文献】
【０００３】
【特許文献１】特開２００５−５３０１６号公報
【発明の概要】
【発明が解決しようとする課題】
【０００４】
一般には、特許文献１の装置において、各印刷ユニットのインクジェットヘッドに供給されるインクを収容したカートリッジが筐体に着脱可能に支持されており、カートリッジが空になったときはカートリッジを交換するという手法を採用することが考えられる。この点、本願発明者等は、上記手法とは異なる手法として、インクジェットヘッドに供給されるインク（液体）を収容した液体収容部を印刷ユニット（記録モジュール）に着脱不能に支持させ（即ち、記録モジュールを液体収容部と一体不可分に形成し）、液体収容部が空になったときは記録モジュールごと交換するという手法を採用することを検討した。しかしながら、当該手法を採用した場合、以下の問題が生じ得る。即ち、記録モジュールの記録部等（液体収容部以外）の使用限度（以下、単に「記録モジュールの使用限度」という。）に達していないときに、液体収容部が空になってしまい、記録モジュールを交換する必要が生じ得る。この場合、記録部及び液体収容部を含む比較的高価な記録モジュールごと交換する必要があり、ユーザにとっては経済的な負担が大きい。同様の問題は、筐体に対して着脱可能な記録モジュールを１つだけ有する記録装置においても生じ得る。
【０００５】
本発明の目的は、記録モジュールの使用限度に達していないときに液体収容部が空になり記録モジュールを交換する必要が生じるという事態を回避可能な記録装置を提供することである。
【課題を解決するための手段】
【０００６】
本発明に係る記録装置は、液体を吐出して記録媒体に画像を記録するための記録部、前記記録部と対向する位置に記録媒体を搬送するためのモジュール搬送機構、前記記録部の吐出動作を回復させるための吐出回復部、及び、前記液体を収容するための液体収容部を支持する記録モジュールであって、前記液体収容部と一体不可分に形成された記録モジュールと、記録媒体を収容するための記録媒体収容部と、前記記録モジュールを着脱可能に支持する筐体と、前記筐体に設けられ、記録媒体を前記記録媒体収容部から前記記録モジュールへ搬送する搬送機構と、前記記録モジュールの少なくとも前記記録部、前記モジュール搬送機構及び前記吐出回復部のいずれかの動作履歴情報と、前記記録モジュールの少なくとも前記記録部、前記モジュール搬送機構及び前記吐出回復部のいずれかの使用限度に達するまでに前記記録部によって記録可能な記録媒体の枚数Ａであって前記記録モジュールの動作に伴い減少する枚数Ａの初期値Ａ０とを記憶する記憶部と、
前記記憶部に記憶された前記動作履歴情報及び前記初期値Ａ０に基づいて前記記録モジュールの少なくとも前記記録部、前記モジュール搬送機構及び前記吐出回復部のいずれかの使用限度に達したか否かを判断する判断処理と、前記判断処理において前記記録モジュールの少なくとも前記記録部、前記モジュール搬送機構及び前記吐出回復部のいずれかの使用限度に達したと判断された場合に前記記録モジュールの使用限度に達したことを報知する報知処理とを実行する制御部とを備え、前記記録部からの液体吐出に関する所定の規格に基づく記録が前記記録部によって行われると仮定した場合に、前記液体収容部の液体が無くなるまでに前記記録部によって記録可能な記録媒体の枚数Ｂであって前記記録部からの液体の吐出に伴い減少する枚数Ｂの初期値をＢ０としたとき、Ａ０≦Ｂ０となるように構成されていることを特徴とする。
【０００７】
本発明によれば、Ａ０≦Ｂ０となるように構成されているため、記録モジュールの使用限度に達していないときに液体収容部が空になり記録モジュールを交換する必要が生じるという事態を回避可能である。
【０００８】
前記筐体は、複数の前記記録モジュールを個別に着脱可能に支持し、前記搬送機構は、前記複数の記録モジュールのそれぞれに記録媒体を搬送し、前記記憶部は、前記複数の記録モジュールそれぞれのＢ／Ａに関する情報と、１の記録媒体に対する液体吐出量の閾値とをさらに記憶しており、前記制御部は、所定の順番で前記複数の記録モジュールに記録媒体を搬送する場合において、前記液体吐出量が前記閾値を超える記録媒体を、前記複数の記録モジュールのうちＢ／Ａが最も小さい記録モジュールに搬送する順番がきたときに、当該記録モジュールとは別の記録モジュールに記録媒体が搬送されるように前記搬送機構を制御する高デューティスキップ処理をさらに実行可能であってよい。
【０００９】
上記構成によれば、複数の記録モジュールにおいてＢ／Ａが均等化される。また、使用過程でＡ＞Ｂとなった記録モジュールのＡ，Ｂの関係がＡ≦Ｂに近づくことになる。これにより、上記事態をより確実に回避することができる。
【００１０】
前記制御部は、所定の順番で前記複数の記録モジュールに記録媒体を搬送する場合において、前記液体吐出量が前記閾値以下となる記録媒体を、前記複数の記録モジュールのうちＢ／Ａが最も大きい記録モジュールに搬送する順番がきたときに、当該記録モジュールとは別の記録モジュールに記録媒体が搬送されるように前記搬送機構を制御する低デューティスキップ処理をさらに実行可能であってよい。
【００１１】
上記構成によれば、複数の記録モジュールにおけるＢ／Ａの均等化をより促進することができ、上記事態をより確実に回避することができる。
【００１２】
前記筐体は、複数の前記記録モジュールを個別に着脱可能に支持し、前記搬送機構は、前記複数の記録モジュールのそれぞれに記録媒体を搬送し、前記記憶部は、前記複数の記録モジュールそれぞれのＢ／Ａに関する情報と、前記複数の記録モジュールのそれぞれに対して定められた１の記録媒体に対する液体吐出量の閾値であって、Ｂ／Ａが小さいほど小さくなるように設定された閾値とをさらに記憶しており、前記制御部は、所定の順番で前記複数の記録モジュールに記録媒体を搬送する場合において、前記複数の記録モジュールのそれぞれについて、当該記録モジュールに搬送されるべき記録媒体の前記液体吐出量が、当該記録モジュールに対して定められた前記閾値を超えるか否かを判断し、前記液体吐出量が前記閾値を超えると判断されたときに、当該記録モジュールとは別の記録モジュールに記録媒体が搬送されるように前記搬送機構を制御する個別高デューティスキップ処理をさらに実行可能であってよい。
【００１３】
上記構成によれば、複数の記録モジュールにおいてＢ／Ａが均等化される。また、使用過程でＡ＞Ｂとなった記録モジュールのＡ，Ｂの関係がＡ≦Ｂに近づくことになる。これにより、上記事態をより確実に回避することができる。
【００１４】
前記複数の記録モジュールは、それぞれ、互いに異なる色の液体を吐出するための複数の吐出口を有する複数の前記記録部、及び、前記複数の記録部のそれぞれに供給される液体を収容した複数の前記液体収容部を支持しており、前記記憶部は、前記複数の記録モジュールのそれぞれに対して前記複数の色毎に定められた前記閾値を記憶し、前記制御部は、前記個別高デューティスキップ処理において、前記複数の色毎に定められた前記閾値のうち最も小さい閾値を基準として判断を行ってよい。
【００１５】
上記構成によれば、各記録モジュールで複数色の記録を行う記録装置において、閾値が最も小さい（即ちＢ／Ａが最も小さい）色に着目して制御を行うことで、上記事態をより確実に回避することができ、且つ、制御を簡素化することができる。
【００１６】
前記複数の記録モジュールは、それぞれ、複数の前記記録部、及び、前記複数の記録部のそれぞれに供給される液体を収容した複数の前記液体収容部を支持しており、前記複数の記録部は、黒色の液体を吐出するための複数の吐出口を有する黒色記録部と、黒色以外の色の液体を吐出するための複数の吐出口を有する記録部とを含み、前記記憶部は、前記複数の記録モジュールそれぞれにおける前記複数の記録部のうち少なくとも前記黒色記録部のＢ／Ａに関する情報を記憶し、前記制御部は、所定の順番で前記複数の記録モジュールに記録媒体を搬送する場合において、前記黒色記録部のＢ／Ａを基準として判断を行ってよい。
【００１７】
上記構成によれば、各記録モジュールで複数色の記録を行う記録装置において、使用頻度が最も高いと想定される黒色の記録部に着目して制御を行うことで、制御を簡素化しつつ、上記事態を回避することができる。
【００１８】
前記報知処理は、当該記録モジュールに対する記録媒体の搬送を禁止することを含んでよい。
【００１９】
上記構成によれば、記録の不具合を抑制することができる。また、複数の記録モジュールが筐体に個別に着脱可能に支持される場合に、当該記録モジュール以外の記録モジュールを用いて、記録を続行することができる。
【発明の効果】
【００２０】
本発明によれば、Ａ０≦Ｂ０となるように構成されているため、記録モジュールの使用限度に達していないときに液体収容部が空になり記録モジュールを交換する必要が生じるという事態を回避可能である。
【図面の簡単な説明】
【００２１】
【図１】本発明の第１実施形態に係るインクジェットプリンタの内部を示す側面図である。
【図２】（ａ）は、本発明の第１実施形態に係るインクジェットプリンタに含まれる記録モジュールの内部を示す平面図である。（ｂ）は、記録モジュールの内部を示す正面図である。（ｃ）は、記録モジュールの内部を示す側面図である。
【図３】本発明の第１実施形態に係るインクジェットプリンタの電気的構成を示すブロック図である。
【図４】１の記録モジュールが引出位置にある状態を示す斜視図である。
【図５】１の記録モジュールが引出位置にある状態を示す、図４と反対側から見た斜視図である。
【図６】本発明の第１実施形態におけるＲＯＭ及びＲＡＭの記憶情報を示す概略図である。
【図７】記録モジュール毎に実行される使用限度対応制御を示すフロー図である。
【図８】本発明の第１実施形態における各記録モジュールに対する用紙の搬送制御を示すフロー図である。
【図９】本発明の第２実施形態におけるＲＯＭ及びＲＡＭの記憶情報を示す概略図である。
【図１０】本発明の第２実施形態における各記録モジュールに対する用紙の搬送制御を示すフロー図である。
【図１１】（ａ）は、本発明の第３〜第５実施形態に係るインクジェットプリンタに含まれる記録モジュールの内部を示す平面図である。（ｂ）は、記録モジュールの内部を示す正面図である。（ｃ）は、記録モジュールの内部を示す側面図である。
【図１２】本発明の一変形例に係る各記録モジュールに対する用紙の搬送制御を示すフロー図である。
【発明を実施するための形態】
【００２２】
本発明の第１実施形態に係るインクジェットプリンタ（以下、単に「プリンタ」という。）１は、図１に示すように、直方体形状の筐体１ａと、筐体１ａの一側面に設けられたカバー１ｂとを含む。筐体１ａ内には、搬送機構２０及び制御ユニット１００が配置されている。筐体１ａの天板上部には、用紙受容部４が設けられている。また、筐体１ａには、記録モジュール５０ａ〜５０ｃ及び用紙収容部３がそれぞれ移動可能且つ着脱可能に支持されている。
【００２３】
用紙収容部３及び用紙受容部４は、葉書サイズ、Ａ６サイズ、Ａ４サイズ、レターサイズ、及びＡ３サイズを含む複数種類のサイズの用紙Ｐを、それぞれ複数枚収容及び受容可能である。用紙収容部３は、本発明に係る「記録媒体（用紙Ｐ）を収容するための記録媒体収容部」に該当する。
【００２４】
搬送機構２０は、用紙Ｐを用紙収容部３から各記録モジュール５０ａ〜５０ｃを経由させて用紙受容部４まで搬送するように構成されており、上流搬送機構２０ｘ及び下流搬送機構２０ｙを含む。
【００２５】
上流搬送機構２０ｘは、用紙Ｐを用紙収容部３から各記録モジュール５０ａ〜５０ｃまで搬送するように構成されており、給紙ローラ２１、ローラ対２２ａ〜２２ｆ、ガイド２３ａ〜２３ｇ及び切替部２８ａ，２８ｂを含む。給紙ローラ２１は、用紙収容部３内で最も上方にある用紙Ｐの表面と接触するように配置されている。各ローラ対２２ａ〜２２ｆは、互いに接触する２つのローラを含む。給紙ローラ２１、及び、各ローラ対２２ａ〜２２ｆのうちの一方のローラは、制御ユニット１００による制御の下、上流搬送モータ２０ｘＭ（図３参照）の駆動により回転する駆動ローラである。各ローラ対２２ａ〜２２ｆのうち他方のローラは、上記一方のローラの回転に伴って回転する従動ローラである。各ローラ対２２ａ〜２２ｆにおいて、一方のローラ及び他方のローラは、用紙Ｐを挟持しつつ互いに逆方向に回転する。各ガイド２３ａ〜２３ｇは、その厚み方向に互いに離隔した一対のガイド板を含む。各ガイド２３ａ〜２３ｇの一対のガイド板間の空間、及び、各ローラ対２２ａ〜２２ｆのローラ同士の接触点によって、経路Ｒ１ｘ〜Ｒ３ｘを含む上流経路が形成されている。
【００２６】
各経路Ｒ１ｘ〜Ｒ３ｘは、用紙収容部３から各記録モジュール５０ａ〜５０ｃのモジュール内経路Ｒａ〜Ｒｃの上流端部まで延在している。経路Ｒ１ｘ，Ｒ２ｘは、用紙収容部３から分岐位置Ａ１まで互いに共通の部分を有し、分岐位置Ａ１において分岐して、互いに異なる記録モジュール５０ａ，５０ｂに向かう。経路Ｒ２ｘ，Ｒ３ｘは、用紙収容部３から分岐位置Ａ２まで互いに共通の部分を有し、分岐位置Ａ２において分岐して、互いに異なる記録モジュール５０ｂ，５０ｃに向かう。
【００２７】
また、各経路に着目すると、経路Ｒ１ｘは、２つの分岐位置Ａ１，Ａ２を含み、且つ、用紙収容部３から分岐位置Ａ２までの経路Ｒ２ｘ，Ｒ３ｘと共有される共通部分と、分岐位置Ａ２から分岐位置Ａ１までの経路Ｒ２ｘと共有される共通部分と、分岐位置Ａ１から記録モジュール５０ａまでの他のいずれの経路とも共有されない個別部分とを含む。経路Ｒ２ｘは、２つの分岐位置Ａ１，Ａ２を含み、且つ、用紙収容部３から分岐位置Ａ２までの経路Ｒ１ｘ，Ｒ３ｘと共有される共通部分と、分岐位置Ａ２から分岐位置Ａ１までの経路Ｒ１ｘと共有される共通部分と、分岐位置Ａ１から記録モジュール５０ｂまでの他のいずれの経路とも共有されない個別部分とを含む。経路Ｒ３ｘは、１つの分岐位置Ａ２を含み、且つ、用紙収容部３から分岐位置Ａ２までの経路Ｒ１ｘ，Ｒ２ｘと共有される共通部分と、分岐位置Ａ２から記録モジュール５０ｃまでの他のいずれの経路とも共有されない個別部分とを含む。
【００２８】
切替部２８ａ，２８ｂは、それぞれ、分岐位置Ａ１，Ａ２において用紙Ｐの搬送先を切り替えるためのものである。具体的には、切替部２８ａは、分岐位置Ａ１において用紙Ｐの搬送先を経路Ｒ１ｘの個別部分と経路Ｒ２ｘの個別部分とのいずれかに切り替えるように構成されている。切替部２８ｂは、分岐位置Ａ２において用紙Ｐの搬送先を経路Ｒ１ｘ，Ｒ２ｘの共通部分と経路Ｒ３ｘの個別部分とのいずれかに切り替えるように構成されている。
【００２９】
切替部２８ａ，２８ｂは、それぞれ、揺動部材２８ａ１，２８ｂ１及び切替モータ２８ａＭ，２８ｂＭ（図３参照）を含む。揺動部材２８ａ１，２８ｂ１は、それぞれ、軸２８ａｘ，２８ｂｘを中心として揺動可能であり、制御ユニット１００による制御の下、切替モータ２８ａＭ，２８ｂＭが駆動されることで、図１に実線で示す鉛直位置及び図１に点線で示す傾斜位置を選択的に取ることが可能である。
【００３０】
揺動部材２８ａ１が鉛直位置にあるとき、分岐位置Ａ１において、経路Ｒ１ｘの個別部分は開放され、経路Ｒ２ｘの個別部分は閉塞される。したがって、用紙収容部３から分岐位置Ａ１まで搬送された用紙Ｐは、経路Ｒ１ｘの個別部分に導かれ、記録モジュール５０ａに向けて搬送される。揺動部材２８ａ１が傾斜位置にあるとき、分岐位置Ａ１において、経路Ｒ１ｘの個別部分は閉塞され、経路Ｒ２ｘの個別部分は開放される。したがって、用紙収容部３から分岐位置Ａ１まで搬送された用紙Ｐは、経路Ｒ２ｘの個別部分に導かれ、記録モジュール５０ｂに向けて搬送される。
【００３１】
揺動部材２８ｂ１が鉛直位置にあるとき、分岐位置Ａ２において、経路Ｒ１ｘ，Ｒ２ｘの共通部分は開放され、経路Ｒ３ｘの個別部分は閉塞される。したがって、用紙収容部３から分岐位置Ａ２まで搬送された用紙Ｐは、経路Ｒ１ｘ，Ｒ２ｘの共通部分に導かれ、分岐位置Ａ１に向けて搬送される。揺動部材２８ｂ１が傾斜位置にあるとき、分岐位置Ａ２において、経路Ｒ１ｘ，Ｒ２ｘの共通部分は閉塞され、経路Ｒ３ｘの個別部分は開放される。したがって、用紙収容部３から分岐位置Ａ２まで搬送された用紙Ｐは、経路Ｒ３ｘの個別部分に導かれ、記録モジュール５０ｃに向けて搬送される。
【００３２】
各経路Ｒ１ｘ〜Ｒ３ｘの個別部分に対向する位置に、用紙センサ６ａ〜６ｃが配置されている。各用紙センサ６ａ〜６ｃは、検知位置６ａｘ〜６ｃｘにおける用紙Ｐの有無を示す信号を出力するものであり、当該検知位置６ａｘ〜６ｃｘに用紙Ｐが有るときにＯＮ信号、用紙Ｐが無いときにＯＦＦ信号を出力する。各検知位置６ａｘ〜６ｃｘは、当該経路Ｒ１ｘ〜Ｒ３ｘの個別部分の下流端部に定められている。
【００３３】
下流搬送機構２０ｙは、各記録モジュール５０ａ〜５０ｃから搬送された用紙Ｐを用紙受容部４まで搬送するように構成されており、ローラ対２５ａ〜２５ｄ及びガイド２６ａ〜２６ｄを含む。各ローラ対２５ａ〜２５ｄは、互いに接触する２つのローラを含む。各ローラ対２５ａ〜２５ｄのうちの一方のローラは、制御ユニット１００による制御の下、下流搬送モータ２０ｙＭ（図３参照）の駆動により回転する駆動ローラである。各ローラ対２５ａ〜２５ｄのうち他方のローラは、上記一方のローラの回転に伴って回転する従動ローラである。各ローラ対２５ａ〜２５ｄにおいて、一方のローラ及び他方のローラは、用紙Ｐを挟持しつつ互いに逆方向に回転する。各ガイド２６ａ〜２６ｄは、その厚み方向に互いに離隔した一対のガイド板を含む。各ガイド２６ａ〜２６ｄの一対のガイド板間の空間、及び、各ローラ対２５ａ〜２５ｄのローラ同士の接触点によって、経路Ｒ１ｙ〜Ｒ３ｙを含む下流経路が形成されている。
【００３４】
各経路Ｒ１ｙ〜Ｒ３ｙは、各記録モジュール５０ａ〜５０ｃのモジュール内経路Ｒａ〜Ｒｃの下流端部から用紙受容部４まで延在している。経路Ｒ１ｙ，Ｒ２ｙは、互いに異なる記録モジュール５０ａ，５０ｂから延在し、合流位置Ｂ１において合流して、合流位置Ｂ１から用紙受容部４まで互いに共通の部分を有する。経路Ｒ２ｙ，Ｒ３ｙは、互いに異なる記録モジュール５０ｂ，５０ｃから延在し、合流位置Ｂ２において合流して、合流位置Ｂ２から用紙受容部４まで互いに共通の部分を有する。
【００３５】
また、各経路に着目すると、経路Ｒ１ｙは、１つの合流位置Ｂ１を含み、且つ、記録モジュール５０ａから合流位置Ｂ１までの他のいずれの経路とも共有されない個別部分と、合流位置Ｂ１から用紙受容部４までの経路Ｒ２ｙ，Ｒ３ｙと共有される共通部分とを含む。経路Ｒ２ｙは、２つの合流位置Ｂ１，Ｂ２を含み、且つ、記録モジュール５０ｂから合流位置Ｂ２までの他のいずれの経路とも共有されない個別部分と、合流位置Ｂ２から合流位置Ｂ１までの経路Ｒ３ｙと共有される共通部分と、合流位置Ｂ１から用紙受容部４までの経路Ｒ１ｙ，Ｒ３ｙと共有される共通部分とを含む。経路Ｒ３ｙは、２つの合流位置Ｂ１，Ｂ２を含み、且つ、記録モジュール５０ｃから合流位置Ｂ２までの他のいずれの経路とも共有されない個別部分と、合流位置Ｂ２から合流位置Ｂ１までの経路Ｒ２ｙと共有される共通部分と、合流位置Ｂ１から用紙受容部４までの経路Ｒ１ｙ，Ｒ２ｙと共有される共通部分とを含む。
【００３６】
カバー１ｂは、鉛直方向に沿った軸１ｂｘを中心として筐体１ａに対して移動可能（回動可能）に取り付けられており、記録モジュール５０ａ〜５０ｃを筐体１ａの外部に露出させて記録モジュール５０ａ〜５０ｃを筐体１ａに対して移動可能とする開位置（図１に一点鎖線で示す位置）、及び、記録モジュール５０ａ〜５０ｃを覆って記録モジュール５０ａ〜５０ｃを筐体１ａに対して移動不能とする閉位置（図１に実線で示す位置）を選択的に取ることが可能である。記録モジュール５０ａ〜５０ｃの筐体１ａに対する移動や着脱は、カバー１ｂを開位置に保持した状態で行われる。鉛直方向において、カバー１ｂの長さＨｂは、記録モジュール５０ａ〜５０ｃ全体の長さＨ以上である。また、カバー１ｂには、下流搬送機構２０ｙの構成要素のうちローラ対２５ｄを除く構成要素が設けられている。
【００３７】
記録モジュール５０ａ〜５０ｃは、鉛直方向に並んで配置されている。換言すると、筐体１ａは、記録モジュール５０ａ〜５０ｃを鉛直方向に並列に支持している。鉛直方向において、記録モジュール５０ａ〜５０ｃのうち、記録モジュール５０ａが、用紙収容部３から最も遠く且つ用紙受容部４に最も近い位置にある。鉛直方向において、記録モジュール５０ａ〜５０ｃのうち、記録モジュール５０ｃが、用紙収容部３に最も近く且つ用紙受容部４から最も遠い位置にある。
【００３８】
なお、本実施形態において、鉛直方向は、主走査方向及び副走査方向と直交する方向である。副走査方向は、水平面に平行で、且つ、経路Ｒ１ｘ〜Ｒ３ｘの下流部分、モジュール内経路Ｒａ〜Ｒｃ、及び経路Ｒ１ｙ〜Ｒ３ｙの上流部分と平行な方向である。主走査方向は、水平面に平行で、且つ、副走査方向と直交する方向である。
【００３９】
記録モジュール５０ａ〜５０ｃは、互いに同じ構成であり、それぞれ、モジュール筐体５と、モジュール筐体５内に収容された、インクジェットヘッド（以下、単に「ヘッド」という。）５１、キャリッジ５２、キャリッジ移動機構５２ｘ、モジュール搬送機構５３、プラテン５４（図２（ａ）〜（ｃ）参照）、インク収容部５７及び基板５８とを含む。ヘッド５１、キャリッジ５２及びキャリッジ移動機構５２ｘは、本発明に係る「液体（インク）を吐出して記録媒体（用紙Ｐ）に画像を記録するための記録部」に該当する。
【００４０】
ヘッド５１は、シリアル式であって、キャリッジ５２を介して筐体１ａに支持されている。ヘッド５１の上面はキャリッジ５２に固定されており、ヘッド５１の下面は複数の吐出口５１ｂ（図２（ａ）参照）が開口した吐出面５１ａである。制御ユニット１００による制御の下、吐出口５１ｂから所望タイミングでインクが吐出されることで、用紙Ｐに画像が記録される。なお、図２（ａ）では、キャリッジ５２の下方にあって点線で示すべき吐出口５１ｂを実線で描いている。
【００４１】
キャリッジ移動機構５２ｘは、図２（ａ）〜（ｃ）に示すように、ガイド５２ｇ１，５２ｇ２、プーリ５２ｐ１，５２ｐ２、ベルト５２ｂ及びキャリッジモータ５２Ｍを含む。ガイド５２ｇ１，５２ｇ２は、鉛直方向から見て矩形の形状を有し、副走査方向に互いに離隔している。ガイド５２ｇ１，５２ｇ２は、ヘッド５１の上部を挟み、且つ、キャリッジ５２の副走査方向両端を主走査方向にスライド可能に支持している。プーリ５２ｐ１，５２ｐ２は、ガイド５２ｇ２の主走査方向一端及び他端にそれぞれ回転可能に支持されている。プーリ５２ｐ１，５２ｐ２は、直径が互いに同じであり、副走査方向に関して互いに同じ位置に配置されている。ベルト５２ｂは、プーリ５２ｐ１，５２ｐ２に架け渡されたエンドレスベルトであり、プーリ５２ｐ１，５２ｐ２の回転に伴って走行する。キャリッジ５２は、ベルト５２ｂに固定されている。キャリッジモータ５２Ｍは、鉛直方向に長尺な円柱形状を有し、ガイド５２ｇ２の下面に固定されている。キャリッジモータ５２Ｍの回転軸は、プーリ５２ｐ１に取り付けられており、鉛直方向に延在している。プーリ５２ｐ１は、駆動プーリであり、制御ユニット１００による制御の下、キャリッジモータ５２Ｍの駆動により正逆回転する。これに伴い、ベルト５２ｂが走行する。プーリ５２ｐ２は、従動プーリであり、ベルト５２ｂの走行に伴って回転する。このようなキャリッジ移動機構５２ｘの各部の動作に伴い、キャリッジ５２がヘッド５１を支持しつつ主走査方向に往復移動する。
【００４２】
モジュール搬送機構５３は、用紙Ｐをモジュール内経路Ｒａ〜Ｒｃに沿って搬送方向Ｄ（副走査方向と平行な方向）に間欠的に搬送するように構成されており、ローラ対５３ａ，５３ｂ及びモジュール搬送モータ５３Ｍ（図３参照）を含む。ローラ対５３ａは、ヘッド５１よりも搬送方向Ｄの上流に配置されている。ローラ対５３ｂは、ヘッド５１よりも搬送方向Ｄの下流に配置されている。各ローラ対５３ａ，５３ｂは、互いに接触する２つのローラを含む。各ローラ対５３ａ，５３ｂのうちの一方のローラは、制御ユニット１００による制御の下、モジュール搬送モータ５３Ｍの駆動により回転する駆動ローラである。各ローラ対５３ａ，５３ｂのうちの他方のローラは、上記一方のローラの回転に伴って回転する従動ローラである。各ローラ対５３ａ，５３ｂにおいて、一方のローラ及び他方のローラは、用紙Ｐを挟持しつつ互いに逆方向に回転する。これにより、用紙Ｐが搬送方向Ｄに搬送される。各ローラ対５３ａ，５３ｂのローラ同士の接触点によって、吐出面５１ａと対向する位置を通過するように、モジュール内経路Ｒａ〜Ｒｃが形成されている。
【００４３】
プラテン５４は、ローラ対５３ａ，５３ｂの間であって、吐出面５１ａと対向する位置に配置されている。プラテン５４の上面は、用紙Ｐを支持するための支持面５４ａであり、吐出面５１ａとの間に記録に適した間隙を形成している。
【００４４】
ローラ対５３ａ，５３ｂ及びプラテン５４は、一対のフランジ５６によって支持されている。一対のフランジ５６は、副走査方向に延在し、主走査方向に互いに離隔している。
【００４５】
インク収容部５７は、インクを収容し、且つ、大気と連通している。また、インク収容部５７は、チューブ（図示略）を介してヘッド５１と連通している。インク収容部５７内に収容されたインクは、制御ユニット１００による制御の下、インク供給ポンプ５７Ｐ（図３参照）の駆動により、チューブを介してヘッド５１に供給される。インク収容部５７は、本発明に係る「液体収容部」に該当し、記録モジュール５０ａ〜５０ｃと一体不可分に形成されており、記録モジュール５０ａ〜５０ｃに対して着脱不能である。インク収容部５７が記録モジュール５０ａ〜５０ｃに支持されているとき、ユーザはインク収容部５７にインクを補充することができない。また、インク供給ポンプ５７Ｐは、本発明に係る「吐出回復部」に該当し、ヘッド５１の吐出動作を回復させるためのパージ（ヘッド５１内のインクに圧力を付与して複数の吐出口５１ｂからインクを吐出させる動作）が行われるときに駆動される。
【００４６】
基板５８には、メモリ５８Ｍ（図３参照）が実装されている。メモリ５８Ｍは、当該記録モジュール５０ａ〜５０ｃ独自の情報（製造年月日等）を記憶してよい。
【００４７】
モジュール筐体５は、図４及び図５に示すように、４つの側壁５ｗ１〜５ｗ４、上壁５ｗ５及び下壁５ｗ６を有する。記録モジュール５０ａ〜５０ｃが筐体１ａに支持された状態において、側壁５ｗ１，５ｗ２は鉛直方向及び主走査方向に延在し、側壁５ｗ３，５ｗ４は鉛直方向及び副走査方向に延在し、上壁５ｗ５及び下壁５ｗ６は水平方向に延在する。また、側壁５ｗ１はローラ対５３ａよりも搬送方向Ｄの下流に配置され、側壁５ｗ２はローラ対５３ａよりも搬送方向Ｄの上流に配置されている。
【００４８】
記録モジュール５０ａ〜５０ｃは、個別に、筐体１ａに対して搬送方向Ｄに沿って移動可能であり、さらに筐体１ａに対して着脱可能である。記録モジュール５０ａ〜５０ｃの筐体１ａに対する移動や着脱は、例えばジャム処理、記録モジュール５０ａ〜５０ｃそのもの又はその構成部品（基板５８）の交換等の際に、ユーザによって行われる。なお、インク収容部５７は、上述のとおり、記録モジュール５０ａ〜５０ｃに対して着脱不能である。したがって、インク収容部５７が空になったとき、ユーザは、記録モジュール５０ａ〜５０ｃごと交換する。
【００４９】
各記録モジュール５０ａ〜５０ｃは、筐体１ａに支持された状態において、経路Ｒ１ｘ〜Ｒ３ｘからモジュール内経路Ｒａ〜Ｒｃに用紙Ｐを供給可能に筐体１ａに装着された装着位置（図１に実線で示す位置。図４及び図５の記録モジュール５０ａ，５０ｂ参照）と、搬送方向Ｄと平行な移動経路Ｒｘａ〜Ｒｘｃに沿って装着位置から搬送方向Ｄに最も離れた引出位置（図１に一点鎖線で示す位置。図４及び図５の記録モジュール５０ｃ参照）との間で移動可能である。記録モジュール５０ａ〜５０ｃが装着位置にあるとき、ローラ対５３ａ，５３ｂは共に筐体１ａの内部に配置されており、記録モジュール５０ａ〜５０ｃが引出位置にあるとき、ローラ対５３ａ，５３ｂは共に筐体１ａの外部に配置されている。各記録モジュール５０ａ〜５０ｃは、搬送方向Ｄにおいて図１に一点鎖線で示す開位置にあるカバー１ｂの領域内で移動可能であり、引出位置にあるとき、開位置にあるカバー１ｂよりも搬送方向Ｄの下流に突出しない。
【００５０】
なお、各記録モジュール５０ａ〜５０ｃの筐体１ａに対する移動及び着脱は、それぞれ、規制を解除して行われる。
【００５１】
各記録モジュール５０ａ〜５０ｃの筐体１ａに対する搬送方向Ｄに沿った移動は、各記録モジュール５０ａ〜５０ｃの側壁５ｗ３，５ｗ４に設けられた一対の可動部材５ｘ（図４及び図５参照）と、筐体１ａに記録モジュール５０ａ〜５０ｃ毎に設けられた一対の位置規制部（図示略）との当接によって、規制される。当該規制は、側壁５ｗ１に設けられた一対の移動規制解除部材５ｚを搬送方向Ｄに引っ張ることで、解除される。各可動部材５ｘは、側壁５ｗ３，５ｗ４と直交する方向に沿った軸５ｘａを中心として回動可能であり、軸５ｘａが設けられた一端とは反対側の他端に、側壁５ｗ３，５ｗ４と直交する方向に突出した突起５ｘｂを有する。突起５ｘｂと位置規制部の突起とが搬送方向Ｄに対向しつつ当接することで、記録モジュール５０ａ〜５０ｃの筐体１ａに対する搬送方向Ｄに沿った移動が規制される。移動規制解除部材５ｚが搬送方向Ｄに引っ張られると、可動部材５ｘが軸５ｘａを中心として回動し、突起５ｘｂが位置規制部の突起から離隔し且つ当該突起と搬送方向Ｄに対向しない状態となり、記録モジュール５０ａ〜５０ｃの筐体１ａに対する搬送方向Ｄに沿った移動の規制が解除される。このようにして規制が解除された状態で、記録モジュール５０ａ〜５０ｃを搬送方向Ｄに移動させることによって記録モジュール５０ａ〜５０ｃが筐体１ａから引き出され、また、記録モジュール５０ａ〜５０ｃを搬送方向Ｄと反対の方向に移動させることによって記録モジュール５０ａ〜５０ｃが筐体１ａ内に収容される。筐体１ａから引き出された記録モジュール５０ａ〜５０ｃが筐体１ａ内に収容され、記録モジュール５０ａ〜５０ｃが装着位置に到達すると、可動部材５ｘは、再び突起５ｘｂと位置規制部の突起とが搬送方向Ｄに対向しつつ当接する位置に配置される。
【００５２】
各記録モジュール５０ａ〜５０ｃは、筐体１ａに記録モジュール５０ａ〜５０ｃ毎に設けられた一対の可動レール１ｌによって側壁５ｗ３，５ｗ４が支持された状態で、筐体１ａに対して移動する（図４及び図５参照）。
【００５３】
筐体１ａには、記録モジュール５０ａ〜５０ｃ毎に、上記一対の可動レール１ｌと、一対の固定レール１ｍとが設けられている。各固定レール１ｍは、搬送方向Ｄに沿って延在し、筐体１ａに固定されている。各可動レール１ｌは、搬送方向Ｄに沿って延在し、且つ、搬送方向Ｄと平行な方向に移動可能に固定レール１ｍに支持されている。記録モジュール５０ａ〜５０ｃが筐体１ａに対して移動するとき、可動レール１ｌは、記録モジュール５０ａ〜５０ｃを支持しながら固定レール１ｍに対して移動する。
【００５４】
各記録モジュール５０ａ〜５０ｃの筐体１ａに対する着脱は、側壁５ｗ３，５ｗ４の一方に設けられた係合部材が、一対の可動レール１ｌのうち当該一方の側壁と対向する一方の可動レール１ｌに設けられた穴に係合することによって、規制される（図示略）。換言すると、各記録モジュール５０ａ〜５０ｃは、一対の可動レール１ｌに着脱可能に支持されている。当該規制は、係合部材を穴から退避させることで、解除される。
【００５５】
なお、各記録モジュール５０ａ〜５０ｃの側壁５ｗ１及び上壁５ｗ５には、図４に示すように、開口５ａ，５ｂが設けられている。ジャム処理の際、ユーザは、記録モジュール５０ａ〜５０ｃを引出位置に配置し、又は、記録モジュール５０ａ〜５０ｃを筐体１ａから離脱させて、ジャムした用紙Ｐを開口５ａ，５ｂからモジュール筐体５外に取り出すことができる。
【００５６】
また、各記録モジュール５０ａ〜５０ｃの側壁５ｗ２には、図５に示すように、コネクタ５ｐ及び一対の凹部５ｑが設けられている。筐体１ａには、記録モジュール５０ａ〜５０ｃ毎に、装着位置にある記録モジュールの側壁５ｗ２と対向する対向部１ａｘが設けられている。各対向部１ａｘには、コネクタ１ｐ及び一対の凸部（図示略）が設けられている。当該一対の凸部が一対の凹部５ｑに挿入されることで、記録モジュール５０ａ〜５０ｃが筐体１ａに対して鉛直方向及び主走査方向に位置決めされる。
【００５７】
コネクタ１ｐには、図３に示す電力出力端子１ｐ１及び接点１ｐ２が設けられている。コネクタ５ｐには、電力入力端子５ｐ１及び接点５ｐ２が設けられている。電力出力端子１ｐ１は、筐体１ａ内に配置された電源１５０と電気的に接続されており、電源１５０から供給された電力を出力する。電力入力端子５ｐ１は、記録モジュール５０ａ〜５０ｃにおいて電力供給が必要な要素（ヘッド５１、キャリッジモータ５２Ｍ、モジュール搬送モータ５３Ｍ、インク供給ポンプ５７Ｐ及びメモリ５８Ｍ）と電気的に接続されており、電力出力端子１ｐ１と電気的に接続したときに電力出力端子１ｐ１を介して入力される電力を上記要素に供給する。
【００５８】
記録モジュール５０ａ〜５０ｃが装着位置にあるとき、コネクタ１ｐ，５ｐが係合している。このとき、電力出力端子１ｐ１と電力入力端子５ｐ１とが互いに接触して電気的に接続しており、電源１５０から電力出力端子１ｐ１及び電力入力端子５ｐ１を介して上記各要素に電力が供給されている。またこのとき、接点１ｐ２，５ｐ２同士が互いに接触して電気的に接続しており、記録モジュール５０ａ〜５０ｃと筐体１ａ内の制御ユニット１００との間での信号の送受信が可能となっている。
【００５９】
記録モジュール５０ａ〜５０ｃが装着位置から引出位置に移動するとき、コネクタ１ｐ，５ｐの係合が解除される。このとき、電力出力端子１ｐ１と電力入力端子５ｐ１とが互いに離隔し、電力出力端子１ｐ１と電力入力端子５ｐ１との電気的接続が解除されることで、上記各要素に電力が供給されなくなる。またこのとき、接点１ｐ２，５ｐ２が互いに離隔し、記録モジュール５０ａ〜５０ｃと筐体１ａ内の制御ユニット１００との間での信号の送受信が不能となる。
【００６０】
記録モジュール５０ａ〜５０ｃが筐体１ａから離脱した状態では、コネクタ１ｐ，５ｐの係合が解除されており、電力出力端子１ｐ１と電力入力端子５ｐ１とが互いに離隔して電気的に接続されていないため、上記各要素には電力が供給されない。またこのとき、接点１ｐ２，５ｐ２が互いに離隔しており、記録モジュール５０ａ〜５０ｃと筐体１ａ内の制御ユニット１００との間での信号の送受信が不能である。
【００６１】
制御ユニット１００は、図３に示すように、演算処理装置であるＣＰＵ（Central Processing Unit）１０１、ＲＯＭ（Read Only Memory）１０２、ＲＡＭ（Random Access Memory）１０３、ＡＳＩＣ（Application Specific Integrated Circuit）１０４、Ｉ／Ｆ（Interface）１０５及びＩ／Ｏ（Input/Output Port）１０６を含む。ＲＯＭ１０２は、ＣＰＵ１０１が実行するプログラム等の固定データを記憶している。ＲＡＭ１０３は、ＣＰＵ１０１がプログラムを実行するために必要なデータ（画像データ等）を一時的に記憶する。ＡＳＩＣ１０４は、画像データの書き替え、並び替え等（例えば、信号処理や画像処理）を行う。Ｉ／Ｆ１０５は、外部装置（例えば、プリンタ１に接続されたＰＣ）とデータの送受信を行う。Ｉ／Ｏ１０６は、各種センサと信号の送受信を行う。ＣＰＵ１０１は、制御ユニット１００に含まれるＣＰＵ１０１以外の各部と電気的に接続されており、各部から受信したデータに基づいて制御を行う。
【００６２】
ＣＰＵ１０１は、本発明に係る「制御部」に該当する。ＲＯＭ１０２及びＲＡＭ１０３は、本発明に係る「記憶部」に該当する。
【００６３】
ＲＯＭ１０２は、図６に示すように、各記録モジュール５０ａ〜５０ｃの「記録可能枚数Ａの初期値Ａ０」と、「用紙１枚当たりのインク吐出量の閾値Ｔ」とを記憶している。「記録可能枚数Ａ」は、記録モジュールの少なくとも記録部（ヘッド５１、キャリッジ５２及びキャリッジ移動機構５２ｘ）、モジュール搬送機構５３及び吐出回復部（インク供給ポンプ５７Ｐ）のいずれかの使用限度（以下、「記録モジュールの使用限度」という。）に達するまでに記録部によって記録可能な用紙Ｐの枚数をいう。「記録可能枚数Ａ」は、記録モジュールの動作に伴い減少する。「初期値Ａ０」は、記録モジュールの動作に伴う、記録モジュールの少なくとも記録部、モジュール搬送機構及び吐出回復部の劣化（例えば、キャリッジ５２の往復移動に伴うキャリッジ移動機構５２ｘの摺動部の摩耗やインク収容部５７とヘッド５１とを連通するチューブの疲労、ワイプに伴う吐出面５１ａの摩耗、記録に伴うモジュール搬送機構５３のローラ対５３ａ，５３ｂの劣化、パージに伴うインク供給ポンプ５７Ｐの劣化等）を考慮して設定される。
【００６４】
ＲＡＭ１０３は、各記録モジュール５０ａ〜５０ｃの「記録済枚数Ｘ」及び「インク残量Ｙ」を記憶する。「記録済枚数Ｘ」は、記録モジュールによって記録が行われた用紙Ｐの枚数をいい、本発明に係る「記録モジュールの少なくとも記録部、モジュール搬送機構５３及び吐出回復部のいずれかの動作履歴情報」に該当する。「インク残量Ｙ」は、インク収容部５７内に残存するインクの量をいう。「記録済枚数Ｘ」は記録モジュールの動作に伴い増加し、「インク残量Ｙ」は記録モジュールの動作に伴い減少する。なお、インク残量Ｙは、インク収容部５７のインク満量から記録毎にインク吐出量を減算し、ＲＡＭ１０３に記憶されてよい。
【００６５】
「記録済枚数Ｘ」から、「記録可能枚数Ａ」を算出することができる。換言すると、「記録可能枚数Ａ」は、「初期値Ａ０」から「記録済枚数Ｘ」を減算することで得られる（Ａ＝Ａ０−Ｘ）。
【００６６】
「インク残量Ｙ」から、「記録可能枚数Ｂ」を算出することができる。「記録可能枚数Ｂ」は、所定の規格に基づく記録が記録モジュールによって行われると仮定した場合に、インク収容部５７のインクが無くなるまでに記録部によって記録可能な用紙Ｐの枚数をいう。ここで、「所定の規格」とは、「記録部からの液体吐出に関する所定の規格」（例えば、ISO/IEC 24711等）である。「記録可能枚数Ｂ」は、記録部からのインクの吐出に伴い減少する。
【００６７】
つまり、ＲＡＭ１０３は、各記録モジュール５０ａ〜５０ｃの「記録可能枚数Ｂ」に関する情報及び「記録可能枚数Ａ」に関する情報（Ｂ／Ａに関する情報）を記憶する。
【００６８】
本実施形態では、記録可能枚数Ｂの初期値をＢ０としたとき、各記録モジュール５０ａ〜５０ｃがＡ０≦Ｂ０となるように構成されている。
【００６９】
次いで、図７を参照し、ＣＰＵ１０１により実行される記録モジュール５０ａ〜５０ｃ毎の使用限度対応制御について説明する。図７に示すルーチンは、記録モジュール５０ａ〜５０ｃ毎に並列に行われる。
【００７０】
ＣＰＵ１０１は、先ず、当該記録モジュールの使用限度に達したか否かを判断する（Ｓ１）。Ｓ１は、本発明に係る「判断処理」に該当する。ＣＰＵ１０１は、記録可能枚数Ａ（＝初期値Ａ０−記録済枚数Ｘ）＝０の場合に、当該記録モジュールの使用限度に達した（Ｓ１：ＹＥＳ）と判断する。
【００７１】
当該記録モジュールの使用限度に達していないと判断した場合（Ｓ１：ＮＯ）、ＣＰＵ１０１は、当該記録モジュールの使用禁止フラグを「０」に設定する（Ｓ２）。Ｓ２の後、ＣＰＵ１０１は、処理をＳ１に戻す。当該記録モジュールの使用限度に達したと判断した場合（Ｓ１：ＹＥＳ）、ＣＰＵ１０１は、当該記録モジュールの使用禁止フラグを「１」に設定する（Ｓ３）。
【００７２】
使用禁止フラグは、後述の用紙搬送制御（図８）で用いられるものであり、使用禁止フラグが「０」であることは使用が許可されること（即ち、当該記録モジュールに用紙を搬送できること）を意味し、使用禁止フラグが「１」であることは使用が禁止されること（即ち、当該記録モジュールに用紙を搬送できないこと）を意味する。
【００７３】
Ｓ３の後、ＣＰＵ１０１は、当該記録モジュールの使用限度に達したことをプリンタ１に設けられたディスプレイ７（図３参照）に表示する（Ｓ４）。Ｓ４の後、ＣＰＵ１０１は、当該ルーチンを終了する。
【００７４】
Ｓ３及びＳ４は、本発明に係る「報知処理」に該当する。
【００７５】
次いで、図８を参照し、ＣＰＵ１０１により実行される各記録モジュール５０ａ〜５０ｃに対する用紙Ｐの搬送制御について説明する。
【００７６】
本実施形態では、複数の用紙Ｐに対して連続的に記録を行う場合に、上から順番に（所定の順番で）用紙Ｐが搬送される（即ち、ｎ＝３ｍ＋１（ｍは０以上の整数）枚目の用紙Ｐは上から１段目の記録モジュール５０ａに搬送され、ｎ＝３ｍ＋２枚目の用紙Ｐは上から２段目の記録モジュール５０ｂに搬送され、ｎ＝３ｍ＋３枚目の用紙Ｐは上から３段目の記録モジュール５０ｃに搬送される）ように予め設定されている。ただし、以下のような制御によって、順番が変更される場合がある。
【００７７】
ＣＰＵ１０１は、先ず、外部装置から記録指令を受信したか否かを判断する（Ｓ２１）。記録指令を受信していないと判断した場合（Ｓ２１：ＮＯ）、ＣＰＵ１０１は、Ｓ２１の処理を繰り返す。記録指令を受信したと判断した場合（Ｓ２１：ＹＥＳ）、ＣＰＵ１０１は、「ｎ＝０」「ｋ＝１」と設定する（Ｓ２２）。「ｎ」は頁番号、「ｋ」は上から「ｋ」段目の記録モジュールを意味する。Ｓ２２の後、ＣＰＵ１０１は、「ｎ＝ｎ＋１」と設定する（Ｓ２３）。Ｓ２３の後、ＣＰＵ１０１は、上からｋ段目の記録モジュールの使用禁止フラグが「０」に設定されているか否かを判断する（Ｓ２４）。
【００７８】
上からｋ段目の記録モジュールの使用禁止フラグが「０」に設定されていないと判断した場合（Ｓ２４：ＮＯ）、ＣＰＵ１０１は、「ｋ＝ｋ＋１」と設定する（Ｓ２５）。Ｓ２５の後、ＣＰＵ１０１は、ｋ＞３か否かを判断する（Ｓ２６）。本実施形態ではｋ＞３に該当する記録モジュールが存在しないため、ｋ＞３と判断した場合（Ｓ２６：ＹＥＳ）、ＣＰＵ１０１は、「ｋ＝１」と設定する（Ｓ２７）。ｋ＞３でないと判断した場合（Ｓ２６：ＮＯ）、又は、Ｓ２７の後、ＣＰＵ１０１は、処理をＳ２４に戻す。
【００７９】
上からｋ段目の記録モジュールの使用禁止フラグが「０」に設定されていると判断した場合（Ｓ２４：ＹＥＳ）、ＣＰＵ１０１は、ｎ枚目の用紙Ｐに対するインク吐出量が、ＲＯＭ１０２に記憶された閾値Ｔを超えるか否かを判断する（Ｓ２８）。ｎ枚目の用紙Ｐに対するインク吐出量が閾値Ｔを超えると判断した場合（Ｓ２８：ＹＥＳ）、ＣＰＵ１０１は、ＲＡＭ１０３に記憶された情報に基づき、上からｋ段目の記録モジュールが、記録モジュール５０ａ〜５０ｃのうちＢ／Ａが最も小さいモジュール（Ｂ／Ａ最小モジュール）であるか否かを判断する（Ｓ２９）。ｎ枚目の用紙Ｐに対するインク吐出量が閾値Ｔを超えない（閾値Ｔ以下）と判断した場合（Ｓ２８：ＮＯ）、ＣＰＵ１０１は、ＲＡＭ１０３に記憶された情報に基づき、上からｋ段目の記録モジュールが、記録モジュール５０ａ〜５０ｃのうちＢ／Ａが最も大きいモジュール（Ｂ／Ａ最大モジュール）であるか否かを判断する（Ｓ３０）。
【００８０】
なお、Ｂ／Ａの値は、記録モジュールの動作に伴い変化する。ＣＰＵ１０１は、Ｓ２９，Ｓ３０の各ステップにおいて、その時点でＲＡＭ１０３に記憶されている情報に基づき、最新のＢ／Ａを取得し、判断を行う。
【００８１】
上からｋ段目の記録モジュールがＢ／Ａ最小モジュールであると判断した場合（Ｓ２９：ＹＥＳ）、又は、上からｋ段目の記録モジュールがＢ／Ａ最大モジュールであると判断した場合（Ｓ３０：ＹＥＳ）、ＣＰＵ１０１は、処理をＳ２５に移す。ここで、Ｓ２８：ＹＥＳ→Ｓ２９：ＹＥＳ→Ｓ２５が本発明に係る「高デューティスキップ処理」に該当する。Ｓ２８：ＮＯ→Ｓ３０：ＹＥＳ→Ｓ２５が本発明に係る「低デューティスキップ処理」に該当する。
【００８２】
上からｋ段目の記録モジュールがＢ／Ａ最小モジュールでないと判断した場合（Ｓ２９：ＮＯ）、又は、上からｋ段目の記録モジュールがＢ／Ａ最大モジュールでないと判断した場合（Ｓ３０：ＮＯ）、ＣＰＵ１０１は、上からｋ段目の記録モジュールに用紙Ｐが搬送されるように、切替モータ２８ａＭ，２８ｂＭ及び上流搬送モータ２０ｘＭを制御する（Ｓ３１）。Ｓ３１の後、ＣＰＵ１０１は、Ｓ２１で受信した記録指令に基づく記録が完了したか否かを判断する（Ｓ３２）。記録が完了したと判断した場合（Ｓ３２：ＹＥＳ）、ＣＰＵ１０１は、当該ルーチンを終了する。記録が完了していないと判断した場合（Ｓ３２：ＮＯ）、ＣＰＵ１０１は、「ｋ＝ｋ＋１」と設定する（Ｓ３３）。Ｓ３３の後、ＣＰＵ１０１は、ｋ＞３か否かを判断する（Ｓ３４）。本実施形態ではｋ＞３に該当する記録モジュールが存在しないため、ｋ＞３と判断した場合（Ｓ３４：ＹＥＳ）、ＣＰＵ１０１は、「ｋ＝１」と設定する（Ｓ３５）。ｋ＞３でないと判断した場合（Ｓ３４：ＮＯ）、又は、Ｓ３５の後、ＣＰＵ１０１は、処理をＳ２３に戻す。
【００８３】
以上に述べたように、本実施形態によれば、筐体１ａに対して着脱可能に支持された各記録モジュール５０ａ〜５０ｃは、記録可能枚数Ａ（記録モジュール５０ａ〜５０ｃの少なくとも記録部（ヘッド５１、キャリッジ５２及びキャリッジ移動機構５２ｘ）、モジュール搬送機構５３及び吐出回復部（インク供給ポンプ５７Ｐ）のいずれかの使用限度に達するまでに記録部によって記録可能な用紙Ｐの枚数）の初期値Ａ０が、記録可能枚数Ｂ（所定の規格に基づく記録が記録モジュール５０ａ〜５０ｃによって行われると仮定した場合に、インク収容部５７のインクが無くなるまでに記録部によって記録可能な用紙Ｐの枚数）の初期値Ｂ０以下（即ち、Ａ０≦Ｂ０）となるように構成されている。そのため、記録モジュール５０ａ〜５０ｃの使用限度に達していないときにインク収容部５７が空になり記録モジュール５０ａ〜５０ｃを交換する必要が生じるという事態を回避可能である。
【００８４】
筐体１ａに複数の記録モジュール５０ａ〜５０ｃが個別に着脱可能に支持された構成において、ＣＰＵ１０１が高デューティスキップ処理（図８のＳ２８：ＹＥＳ→Ｓ２９：ＹＥＳ→Ｓ２５）を実行することで、記録モジュール５０ａ〜５０ｃにおいてＢ／Ａが均等化される。また、使用過程でＡ＞Ｂとなった記録モジュールのＡ，Ｂの関係がＡ≦Ｂに近づくことになる。これにより、上記事態をより確実に回避することができる。
【００８５】
さらに、ＣＰＵ１０１が低デューティスキップ処理（図８のＳ２８：ＮＯ→Ｓ３０：ＹＥＳ→Ｓ２５）を実行することで、記録モジュール５０ａ〜５０ｃにおけるＢ／Ａの均等化をより促進することができ、上記事態をより確実に回避することができる。
【００８６】
ＣＰＵ１０１は、記録モジュールの使用限度に達したと判断した場合に行う報知処理において、当該記録モジュールに対する用紙Ｐの搬送を禁止する（図７のＳ３）。上記構成によれば、記録の不具合を抑制することができる。また、本実施形態のように複数の記録モジュール５０ａ〜５０ｃが筐体１ａに個別に着脱可能に支持される場合に、当該記録モジュール以外の記録モジュールを用いて、記録を続行することができる。
【００８７】
続いて、図９及び図１０を参照し、本発明の第２実施形態に係るプリンタについて説明する。第２実施形態は、ＲＯＭ１０２の記憶情報及びＣＰＵ１０１により実行される用紙搬送制御の内容が第１実施形態と異なり、それ以外は第１実施形態と同じである。
【００８８】
本実施形態において、ＲＯＭ１０２は、図９に示すように、各記録モジュール５０ａ〜５０ｃの「記録可能枚数Ａの初期値Ａ０」と、「Ｂ／Ａと用紙１枚当たりのインク吐出量の閾値Ｔとが対応付けられたテーブル」とを記憶している。当該テーブルでは、「Ｂ／Ａ」が段階的に区分され、「Ｂ／Ａ」が小さいほど小さい閾値Ｔ（Ｔ１＜Ｔ２＜Ｔ３＜Ｔ４）が対応付けられている。ＲＯＭ１０２に記憶された当該テーブルと、ＲＡＭ１０３に記憶された各記録モジュール５０ａ〜５０ｃのＢ／Ａに関する情報とから、記録モジュール５０ａ〜５０ｃのそれぞれに対して定められた閾値Ｔが得られる。
【００８９】
本実施形態において用紙搬送制御でＣＰＵ１０１が行うＳ５１〜Ｓ６３は、第１実施形態におい用紙搬送制御でＣＰＵ１０１が行うＳ２１〜Ｓ３５と、Ｓ２８〜Ｓ３０を行わずにＳ５８を行う点が異なるだけで、それ以外は同じである。
【００９０】
第１実施形態のＳ２８では、「全ての記録モジュール５０ａ〜５０ｃに共通の閾値Ｔ」を用いるのに対し、本実施形態のＳ５８では、「各記録モジュール５０ａ〜５０ｃに対して定められた閾値Ｔ」（即ち、記録モジュール５０ａ〜５０ｃ毎に個別の閾値Ｔ）を用いる。Ｓ５８において、ＣＰＵ１０１は、ＲＯＭ１０２に記憶されたテーブルに、当該記録モジュールに対して定められたＢ／Ａを当てはめて、当該記録モジュール専用の閾値Ｔを取得する。そしてＣＰＵ１０１は、取得された当該記録モジュール専用の閾値Ｔを用いて、ｎ枚目の用紙Ｐに対するインク吐出量が閾値Ｔを超えるか否かを判断する。ｎ枚目の用紙Ｐに対するインク吐出量が閾値Ｔを超えると判断した場合（Ｓ５８：ＹＥＳ）、ＣＰＵ１０１は、処理をＳ５５に移し、当該記録モジュールとは別の記録モジュールに用紙Ｐが搬送されるようにする。ｎ枚目の用紙Ｐに対するインク吐出量が閾値Ｔを超えない（閾値Ｔ以下）と判断した場合（Ｓ５８：ＮＯ）、ＣＰＵ１０１は、処理をＳ５９に移し、当該記録モジュールに用紙Ｐが搬送されるようにする。ここで、Ｓ５８：ＹＥＳ→Ｓ５５が本発明に係る「個別高デューティスキップ処理」に該当する。
【００９１】
なお、Ｂ／Ａの値は、記録モジュールの動作に伴い変化する。ＣＰＵ１０１は、Ｓ５８において、その時点でＲＡＭ１０３に記憶されている情報に基づき、最新のＢ／Ａを取得し、判断を行う。
【００９２】
以上に述べたように、本実施形態によれば、第１実施形態と同様の構成による同様の効果に加え、以下のような効果を得ることができる。
【００９３】
筐体１ａに複数の記録モジュール５０ａ〜５０ｃが個別に着脱可能に支持された構成において、ＣＰＵ１０１が個別高デューティスキップ処理（図１０のＳ５８：ＹＥＳ→Ｓ５５）を実行することで、記録モジュール５０ａ〜５０ｃにおいてＢ／Ａが均等化される。また、使用過程でＡ＞Ｂとなった記録モジュールのＡ，Ｂの関係がＡ≦Ｂに近づくことになる。これにより、上記事態をより確実に回避することができる。
【００９４】
続いて、本発明の第３実施形態に係るプリンタについて説明する。第３実施形態は、各記録モジュール５０ａ〜５０ｃの構成、ＲＡＭ１０３の記憶情報及びＣＰＵ１０１により実行される用紙搬送制御の内容が第２実施形態と異なり、それ以外は第２実施形態と同じである。
【００９５】
第３実施形態において、各記録モジュール５０ａ〜５０ｃのヘッド５１は、図１１に示すように、シアン、マゼンタ、イエロー、ブラックの各色インクを吐出する４つのヘッド５１１〜５１４を含む。また、インク収容部５７は、ヘッド５１１〜５１４のそれぞれに供給されるインクを収容した４つの収容部５７１〜５７４を含む。キャリッジ５２は４つのヘッド５１１〜５１４を支持しつつ主走査方向に往復移動する。
【００９６】
第３実施形態において、ＲＡＭ１０３は、各記録モジュール５０ａ〜５０ｃの「記録済枚数Ｘ」と、各記録モジュール５０ａ〜５０ｃにおける各収容部５７１〜５７４の「インク残量Ｙ」とを記憶する。各収容部５７１〜５７４の「インク残量Ｙ」から、ヘッド５１１〜５１４毎（色毎）の「記録可能枚数Ｂ」を算出することができる。また、ＲＯＭ１０２に記憶されたテーブル（図９参照）に、色毎のＢ／Ａを当てはめることで、記録モジュール５０ａ〜５０ｃのそれぞれに対してヘッド５１１〜５１４毎（色毎）に定められた閾値Ｔが得られる。
【００９７】
第３実施形態においてＣＰＵ１０１が行う用紙搬送制御は、第２実施形態においてＣＰＵ１０１が行う用紙搬送制御と、Ｓ５８の内容が異なるだけで、それ以外は同じである。
【００９８】
本実施形態のＳ５８において、ＣＰＵ１０１は、ＲＯＭ１０２に記憶されたテーブル（図９参照）に、当該記録モジュールのヘッド５１１〜５１４毎（色毎）のＢ／Ａを当てはめて、当該記録モジュールの色毎の閾値Ｔを取得する。そしてＣＰＵ１０１は、取得された色毎の閾値Ｔのうち最も小さい閾値を用いて、ｎ枚目の用紙Ｐに対するインク吐出量が閾値Ｔを超えるか否かを判断する。
【００９９】
以上に述べたように、本実施形態によれば、第２実施形態と同様の構成による同様の効果に加え、以下のような効果を得ることができる。
【０１００】
各記録モジュール５０ａ〜５０ｃで複数色の記録を行うプリンタ１において、ＣＰＵ１０１が個別高デューティスキップ処理（図１０のＳ５８：ＹＥＳ→Ｓ５５）で色毎に定められた閾値Ｔのうち最も小さい閾値を基準として判断を行う。このように、閾値が最も小さい（即ちＢ／Ａが最も小さい）色に着目して制御を行うことで、上記事態をより確実に回避することができ、且つ、制御を簡素化することができる。
【０１０１】
続いて、本発明の第４実施形態に係るプリンタについて説明する。第４実施形態は、各記録モジュール５０ａ〜５０ｃの構成、ＲＡＭ１０３の記憶情報及びＣＰＵ１０１により実行される用紙搬送制御の内容が第１実施形態と異なり、それ以外は第１実施形態と同じである。
【０１０２】
第４実施形態の各記録モジュール５０ａ〜５０ｃの構成は、第３実施形態と同様である。即ち、各記録モジュール５０ａ〜５０ｃのヘッド５１は、図１１に示すように、シアン、マゼンタ、イエロー、ブラックの各色インクを吐出する４つのヘッド５１１〜５１４を含む。また、インク収容部５７は、ヘッド５１１〜５１４のそれぞれに供給されるインクを収容した４つの収容部５７１〜５７４を含む。キャリッジ５２は４つのヘッド５１１〜５１４を支持しつつ主走査方向に往復移動する。
【０１０３】
第４実施形態において、ＲＡＭ１０３は、各記録モジュール５０ａ〜５０ｃの「記録済枚数Ｘ」と、各記録モジュール５０ａ〜５０ｃにおける収容部５７１〜５７４のうち黒色に対応する収容部の「インク残量Ｙ」とを記憶する。この「インク残量Ｙ」から、黒色での「記録可能枚数Ｂ」を算出することができる。つまり、ＲＡＭ１０３は、各記録モジュール５０ａ〜５０ｃの「黒色記録部のＢ／Ａに関する情報」を記憶する。
【０１０４】
第４実施形態においてＣＰＵ１０１が行う用紙搬送制御は、第１実施形態においてＣＰＵ１０１が行う用紙搬送制御と、Ｓ２９，Ｓ３０の内容が異なるだけで、それ以外は同じである。
【０１０５】
本実施形態のＳ２９，Ｓ３０において、ＣＰＵ１０１は、ＲＡＭ１０３に記憶された各記録モジュール５０ａ〜５０ｃの「黒色記録部のＢ／Ａに関する情報」に基づき、当該記録モジュールがＢ／Ａ最小モジュール又はＢ／Ａ最大モジュールであるか否かを判断する。
【０１０６】
以上に述べたように、本実施形態によれば、第１実施形態と同様の構成による同様の効果に加え、以下のような効果を得ることができる。
【０１０７】
各記録モジュール５０ａ〜５０ｃで複数色の記録を行うプリンタ１において、ＣＰＵ１０１は、使用頻度が最も高いと想定される黒色の記録部に着目して制御を行う。これにより、制御を簡素化しつつ、上記事態を回避することができる。
【０１０８】
続いて、本発明の第５実施形態に係るプリンタについて説明する。第５実施形態は、各記録モジュール５０ａ〜５０ｃの構成、ＲＡＭ１０３の記憶情報及びＣＰＵ１０１により実行される用紙搬送制御の内容が第２実施形態と異なり、それ以外は第２実施形態と同じである。
【０１０９】
第５実施形態の各記録モジュール５０ａ〜５０ｃの構成は、第３実施形態と同様である。即ち、各記録モジュール５０ａ〜５０ｃのヘッド５１は、図１１に示すように、シアン、マゼンタ、イエロー、ブラックの各色インクを吐出する４つのヘッド５１１〜５１４を含む。また、インク収容部５７は、ヘッド５１１〜５１４のそれぞれに供給されるインクを収容した４つの収容部５７１〜５７４を含む。キャリッジ５２は４つのヘッド５１１〜５１４を支持しつつ主走査方向に往復移動する。
【０１１０】
第５実施形態において、ＲＡＭ１０３は、各記録モジュール５０ａ〜５０ｃの「記録済枚数Ｘ」と、各記録モジュール５０ａ〜５０ｃにおける収容部５７１〜５７４のうち黒色に対応する収容部の「インク残量Ｙ」とを記憶する。この「インク残量Ｙ」から、黒色での「記録可能枚数Ｂ」を算出することができる。つまり、ＲＡＭ１０３は、各記録モジュール５０ａ〜５０ｃの「黒色記録部のＢ／Ａに関する情報」を記憶する。
【０１１１】
第５実施形態においてＣＰＵ１０１が行う用紙搬送制御は、第２実施形態においてＣＰＵ１０１が行う用紙搬送制御と、Ｓ５８の内容が異なるだけで、それ以外は同じである。
【０１１２】
本実施形態のＳ５８において、ＣＰＵ１０１は、ＲＯＭ１０２に記憶されたテーブルに、当該記録モジュール５０ａ〜５０ｃに対して定められた「黒色記録部のＢ／Ａ」を当てはめて、当該記録モジュール専用の閾値Ｔを取得する。そしてＣＰＵ１０１は、取得された当該記録モジュール専用の閾値Ｔを用いて、ｎ枚目の用紙Ｐに対するインク吐出量が閾値Ｔを超えるか否かを判断する。
【０１１３】
以上に述べたように、本実施形態によれば、第２実施形態と同様の構成による同様の効果に加え、以下のような効果を得ることができる。
【０１１４】
各記録モジュール５０ａ〜５０ｃで複数色の記録を行うプリンタ１において、ＣＰＵ１０１は、使用頻度が最も高いと想定される黒色の記録部に着目して制御を行う。これにより、制御を簡素化しつつ、上記事態を回避することができる。
【０１１５】
続いて、図１２を参照し、本発明の一変形例に係るプリンタについて説明する。本変形例は、ＲＡＭ１０３の記憶情報及びＣＰＵ１０１により実行される使用限度対応制御及び用紙搬送制御の内容が第１実施形態と異なり、それ以外は第１実施形態と同じである。
【０１１６】
本変形例において、ＲＡＭ１０３は、各記録モジュール５０ａ〜５０ｃの「記録済枚数Ｘ」を記憶するが、「インク残量Ｙ」は記憶しなくてよい（図６参照）。即ち、ＲＡＭ１０３は、各記録モジュール５０ａ〜５０ｃの「記録可能枚数Ｂ」に関する情報（さらに、Ｂ／Ａに関する情報）を記憶しなくてよい。ただし、本変形例において、ＲＡＭ１０３は、インク吐出量が閾値Ｔを超える記録（高デューティ記録）を行った記録モジュールに関する情報を記憶する。
【０１１７】
本変形例においてＣＰＵ１０１が行う使用限度対応制御は、第１実施形態でＣＰＵ１０１が行う使用限度対応制御においてＳ２，Ｓ３（使用禁止フラグの設定処理）を省略したものである。
【０１１８】
本変形例の用紙搬送制御において、ＣＰＵ１０１は、先ず、外部装置から記録指令を受信したか否かを判断する（Ｓ８１）。記録指令を受信していないと判断した場合（Ｓ８１：ＮＯ）、ＣＰＵ１０１は、Ｓ８１の処理を繰り返す。記録指令を受信したと判断した場合（Ｓ８１：ＹＥＳ）、ＣＰＵ１０１は、「ｎ＝０」と設定する（Ｓ８２）。「ｎ」は頁番号を意味する。Ｓ８２の後、ＣＰＵ１０１は、「ｎ＝ｎ＋１」と設定する（Ｓ８３）。
【０１１９】
Ｓ８３の後、ＣＰＵ１０１は、ｎ枚目の用紙Ｐに対するインク吐出量が、ＲＯＭ１０２に記憶された閾値Ｔを超えるか否かを判断する（Ｓ８４）。ｎ枚目の用紙Ｐに対するインク吐出量が閾値Ｔを超えない（閾値Ｔ以下）と判断した場合（Ｓ８４：ＮＯ）、ＣＰＵ１０１は、ＲＡＭ１０３に記憶された情報に基づき、高デューティ記録を行った記録モジュールがあるか否かを判断する（Ｓ８５）。高デューティ記録を行った記録モジュールがあると判断した場合（Ｓ８５：ＹＥＳ）、ＣＰＵ１０１は、高デューティ記録を行った記録モジュール（高デューティ記録を行った記録モジュールが複数ある場合はその中の任意のモジュール）に用紙Ｐが搬送されるように、切替モータ２８ａＭ，２８ｂＭ及び上流搬送モータ２０ｘＭを制御する（Ｓ８６）。高デューティ記録を行った記録モジュールがないと判断した場合（Ｓ８５：ＮＯ）、ＣＰＵ１０１は、任意の記録モジュールに用紙Ｐが搬送されるように、切替モータ２８ａＭ，２８ｂＭ及び上流搬送モータ２０ｘＭを制御する（Ｓ８７）。
【０１２０】
ｎ枚目の用紙Ｐに対するインク吐出量が閾値Ｔを超えると判断した場合（Ｓ８４：ＹＥＳ）、ＣＰＵ１０１は、ＲＡＭ１０３に記憶された情報に基づき、高デューティ記録を行った記録モジュールがあるか否かを判断する（Ｓ８８）。高デューティ記録を行った記録モジュールがないと判断した場合（Ｓ８８：ＮＯ）、ＣＰＵ１０１は、処理をＳ８７に移し、任意の記録モジュールに用紙Ｐが搬送されるように、切替モータ２８ａＭ，２８ｂＭ及び上流搬送モータ２０ｘＭを制御する。
【０１２１】
高デューティ記録を行った記録モジュールがあると判断した場合（Ｓ８８：ＹＥＳ）、ＣＰＵ１０１は、高デューティ記録を行っていない記録モジュールがあるか否かを判断する（Ｓ８９）。高デューティ記録を行っていない記録モジュールがあると判断した場合（Ｓ８９：ＹＥＳ）、ＣＰＵ１０１は、処理をＳ８６に移し、高デューティ記録を行っていない記録モジュール（高デューティ記録を行っていない記録モジュールが複数ある場合はその中の任意のモジュール）に用紙Ｐが搬送されるように、切替モータ２８ａＭ，２８ｂＭ及び上流搬送モータ２０ｘＭを制御する。高デューティ記録を行っていない記録モジュールがないと判断した場合（Ｓ８９：ＮＯ）、ＣＰＵ１０１は、処理をＳ８７に移し、任意の記録モジュールに用紙Ｐが搬送されるように、切替モータ２８ａＭ，２８ｂＭ及び上流搬送モータ２０ｘＭを制御する。
【０１２２】
Ｓ８６の後、又は、Ｓ８７の後、ＣＰＵ１０１は、Ｓ８１で受信した記録指令に基づく記録が完了したか否かを判断する（Ｓ９０）。記録が完了したと判断した場合（Ｓ９０：ＹＥＳ）、ＣＰＵ１０１は、当該ルーチンを終了する。記録が完了していないと判断した場合（Ｓ９０：ＮＯ）、ＣＰＵ１０１は、処理をＳ８３に戻す。
【０１２３】
以上、本発明の好適な実施の形態及び変形例について説明したが、本発明は上述の実施形態及び変形例に限られるものではなく、特許請求の範囲に記載した限りにおいて様々な設計変更が可能なものである。
【０１２４】
・「動作履歴情報」は、記録済枚数Ｘに限定されず、記録済枚数Ｘを算出可能な
情報（例えば、ヘッドの往復動回数、液体吐出量、パージ回数、ワイプ回数、加湿回数等の履歴情報）であってもよい。即ち、「動作履歴情報」における「動作」は、記録動作に限定されず、吐出回復に係る動作（例えば、パージ、ワイプ、加湿等）」であってよい。また、「動作履歴情報」は、記録可能枚数Ａであってもよい。
・第２及び第５実施形態では、Ｂ／Ａと閾値とが対応付けられたテーブルが記憶部に記憶されており、制御部は当該テーブルにＢ／Ａを当てはめて閾値を取得するが、これに限定されない。例えば、Ｂ／Ａから閾値を算出可能な計算式が記憶部に記憶されており、制御部は、当該計算式にＢ／Ａを当てはめて閾値を算出してもよい。
・報知処理は、当該記録モジュールに対する記録媒体の搬送を禁止することを含まず、単にユーザに報知を行うだけでもよい。ユーザへの報知は、当該記録モジュールに設けられた出力部（例えば、発光部、ディスプレイ等の画像出力部、スピーカ等の音声出力部）を介して行われてよい。
・制御部による制御内容は上述したものに限定されず、制御部が判断処理及び報知処理を実行し、且つ、Ａ０≦Ｂ０となるように構成されている限り、制御部は任意の処理を行ってよい。例えば、制御部は、所定の順番で複数の記録モジュールに記録媒体を搬送する場合において、１頁目について、高デューティスキップ処理、低デューティスキップ処理、個別高デューティスキップ処理等を行い、２頁目以降は、１頁目を搬送した記録モジュールを基準にして所定の順番で搬送してよい。
・記憶部は、Ｂに関する情報（Ｂ／Ａに関する情報）を記憶しなくてもよい（上記変形例参照）。
・記録モジュールに設けられた記憶部が、動作履歴情報や初期値Ａ０を記憶してもよい。
・記録モジュールの筐体からの引出方向は、搬送方向であることに限定されず、搬送方向と直交する方向（例えば主走査方向）等であってもよい。また、記録モジュールの筐体に対する着脱方向は、特に限定されず（例えば搬送方向でもよく）、また、引出方向と同じであってもよいし異なってもよい。
・上述の実施形態では、記録モジュールを筐体から引き出して引出位置に配置してから、記録モジュールの筐体に対する着脱を行う構成であるが、これに限定されない。
・記録装置に含まれる記録モジュールの数は、任意であり、１つであってもよい。
・記録部は、シリアル式に限定されず、ライン式であってもよい。
・吐出回復部は、ポンプに限定されず、吐出口の乾燥防止のため吐出面を封止するキャップ、パージで吐出された液体を受容する廃液タンク、吐出面付近の加湿を行うための加湿機構等であってもよい。
・搬送機構及びモジュール搬送機構は、いずれも、記録媒体を挟持しつつ回転するローラ対を含む構成に限定されず、記録媒体を表面に支持しつつ走行するベルトを含む構成であってもよい。
・液体収容部に収容される液体は、インクに限定されず、インク中の成分を凝集又は析出させる処理液等であってもよい。
・記録モジュールは、基板を支持していなくてもよい。
・記録装置は、プリンタに限定されず、ファクシミリ、コピー機、複合機等であってもよい。
・記録媒体は、用紙に限定されず、布等であってもよい。
【符号の説明】
【０１２５】
１  インクジェットプリンタ（記録装置）
１ａ  筐体
３  用紙収容部（記録媒体収容部）
２０ｘ  上流搬送機構（搬送機構）
５０ａ〜５０ｃ  記録モジュール
５１  インクジェットヘッド（記録部）
５１ｂ  吐出口
５２  キャリッジ（記録部）
５２ｘ  キャリッジ移動機構（記録部）
５３  モジュール搬送機構
５７  インク収容部（液体収容部）
５７Ｐ  インク供給ポンプ（吐出回復部）
１０１  ＣＰＵ（制御部）
１０２  ＲＯＭ（記憶部）
１０３  ＲＡＭ（記憶部）
５１１〜５１４  インクジェットヘッド（記録部）
５７１〜５７４  インク収容部（液体収容部）
Ｐ  用紙（記録媒体）
【図１】
0006492882.tif 000002
【図２】
0006492882.tif 000003
【図３】
0006492882.tif 000004
【図４】
0006492882.tif 000005
【図５】
0006492882.tif 000006
【図６】
0006492882.tif 000007
【図７】
0006492882.tif 000008
【図８】
0006492882.tif 000009
【図９】
0006492882.tif 000010
【図１０】
0006492882.tif 000011
【図１１】
0006492882.tif 000012
【図１２】
0006492882.tif 000013